(57)【要約】  【課題】従来までの、映像表示や音声出力設定などを記憶することのできるＡＶ装置においては、他の装置で行われた映像表示や音声出力設定を自身にいったん記憶し、次の再生の際にその設定を再び他の装置にわたすというような仕組みは考えられていない。  【解決手段】本件発明は、可搬型メディアドライブ装置がＤＶＤディスクなどの可搬型メディアごとに、他の電子機器である表示装置や音声出力装置の設定の内容を記憶できるような構成とした。また他の電子機器となる表示装置や音声出力装置については、利用者が入力した設定値を可搬型メディアドライブ装置に対して渡すような構成とした。【選択図】            図１
2009253870.tif 000002
【特許請求の範囲】
【請求項１】
信号を受取ってこれを表示する表示部と、
表示部での表示を取得する設定値に応じて制御する表示制御部と、
前記制御に利用される設定値を入力設定値として受け付ける入力設定値受付部と、
可搬型メディアドライブ装置と通信をするための表示側通信部と、
を有する表示装置と、
表示装置と通信をするための出力側通信部と、
可搬型メディアから信号を取得するドライブ部と、
ドライブ部からの信号を出力側通信部を介して表示装置に出力する信号出力部と、
ドライブ部で可搬型メディアから取得するメディア識別子と、出力側通信部を介して表示装置から取得する入力設定値とを関連付けてメディア別設定値として保持するメディア別設定値保持部と、
信号出力部での信号出力に応じてメディア別設定値保持部からその可搬型メディアのメディア識別子と関連付けられたメディア別設定値を取得し、出力側通信部を介して表示装置に出力するメディア別設定値出力部と、を有する可搬型メディアドライブ装置と、
からなる再生システム。
【請求項２】
可搬型メディアドライブ装置は、
メディア別設定値保持部にてメディア識別子と関連付けて保持されているメディア別設定値を変更するための設定値変更部と、
設定値変更部での変更値の入力を出力側通信部を介して表示装置に表示するＧＵＩを利用して受け付ける変更値受付部と、
をさらに有する請求項１に記載の再生システム。
【請求項３】
メディア別設定値保持部は、
出力側通信部を介して表示装置から取得する前記入力を受け付けた入力設定値を可搬型メディアから取得したメディア識別子と関連付けて保持する際に、表示装置から併せてその表示装置または表示装置の表示制御部を識別する表示装置識別子を取得して、さらに関連付けて保持する表示装置別保持手段と、
メディア別設定値を異なる表示装置識別子で識別される表示装置または表示装置の表示制御部間で翻訳するための翻訳テーブルを保持する翻訳テーブル保持手段と、
を有し、
メディア別設定値出力部は、メディア別設定値を出力する際には出力先の表示装置または、その表示装置の表示制御部に応じたメディア別設定値に前記翻訳テーブルを利用して翻訳した結果であるメディア別翻訳済設定値を出力するメディア別翻訳済設定値出力手段を有する請求項１または２に記載の再生システム。
【請求項４】
請求項１から３のいずれか一に記載の表示装置。
【請求項５】
請求項１から３のいずれか一に記載の可搬型メディアドライブ装置。
【請求項６】
前記表示装置に代えて、
信号を受取ってこれを音声出力する音声出力部と、
音声出力部での音声出力を取得する設定値に応じて制御する音声出力制御部と、
前記制御に利用される設定値を入力設定値として受け付ける入力設定値受付部と、
可搬型メディアドライブ装置と通信をするための音声出力側通信部と、
を有する音声出力装置とする請求項１から４のいずれか一に記載の
再生システム。
【請求項７】
可搬型メディアからＡＶ信号を取得するＡＶ信号取得ステップと、
取得したＡＶ信号を再生する再生ステップと、
ＡＶ信号の再生中に画像音声制御に利用される入力設定値を受付ける受付ステップと、
可搬型メディアのメディア識別子を取得するメディア識別子取得ステップと、
メディア識別子取得ステップにて取得したメディア識別子と関連付けて、受付ステップにて受け付けた入力設定値をメディア別設定値として記録する記録ステップと、
を有する再生システムの動作方法。
【請求項８】
可搬型メディアの再生命令を受け付ける再生命令受付ステップと、
再生命令受付ステップでの再生命令の受付に応じて再生命令を受け付けた可搬型メディアのメディア識別子に関連付けて記録ステップにて記録されたメディア別設定値を取得するメディア別設定値取得ステップと、
取得されたメディア別設定値を利用して再生ステップにおける表示制御パラメータを設定する設定ステップと、
設定ステップでの設定の完了後に可搬型メディアからのＡＶ信号を再生する再生ステップと、
をさらに有する請求項７に記載の再生システムの動作方法。
【請求項９】
記録ステップは、メディア別設定値を再生装置の識別子または再生装置の再生制御部の識別子である再生装置識別子と関連付けて保持する再生装置別記録サブステップをさらに有し、
設定ステップは、ＡＶ信号を再生する再生装置識別子に応じて翻訳テーブルを利用して再生装置別記録サブステップにて記録されたメディア別設定値を変換する変換サブステップをさらに有する
請求項７または８に記載の再生システムの動作方法。
【発明の詳細な説明】
【技術分野】
【０００１】
本件発明は、再生するメディアごとに、再生時の映像の明るさやコントラストなどの設定を記憶し、前記設定のとおり再度メディアの再生を行うことのできるデジタルメディア表示装置を提供する。
【背景技術】
【０００２】
一般に、家庭用のテレビやパーソナルコンピュータ用のディスプレイ装置などの表示装置には、映像表示時における画面の輝度やコントラストなどの表示制御のための設定を調節する機能が備わっている。また、アンプとスピーカーなどからなる音声出力装置には、音声出力の高音低音のバランス制御などの設定を調節する機能が備わっている。これらの機能を用いることで、利用者は自由に表示出力および音声出力の設定を行うことができる。
【０００３】
たとえば、ある利用者は、表示装置および音声出力装置に接続された可搬型メディアドライブ装置であるＤＶＤプレイヤーにて、あるアニメーション作品を記録した可搬型メディアであるＤＶＤディスクを再生しそのアニメーション作品を見るときは必ず、表示出力である画面のコントラストを強くし、かつ高音域の音声出力が大きくなるよう設定を行うものとする。また、その利用者は、別の洋画作品を記録したＤＶＤディスクを再生する際には前記設定を全く逆になるように設定するとする。ここで、その利用者が、前記アニメーション作品を見終わったあとに前記洋画作品を見る場合、前記アニメーション作品を見終わった後に、表示出力および音声出力の設定を逆に変更する必要が生ずる。このような手間を省くには、再生するＤＶＤディスクなどの可搬型メディアごとに表示出力および音声出力の設定の内容を記憶できるような機構が必要である。
【０００４】
特許文献１にかかるコンテンツ再生音量設定装置は、ある一つのメディアを再生した際に、どの程度の音量でそのメディアを再生したかを記憶し、そのメディアを再度再生する際に、前記記憶した音量により音声の出力を行うことができる。
【特許文献１】特開２００６−１２９２２３
【発明の開示】
【発明が解決しようとする課題】
【０００５】
しかし、特許文献１にかかるコンテンツ再生音量設定装置が記憶できるのは、その再生音量設定装置にて再生の調整をすることを前提としているからである。つまり、他の装置で行われた再生音量の設定を自身にいったん記憶し、次の再生の際にその設定を再び他の装置にわたすというような仕組みは考えられていない。
【課題を解決するための手段】
【０００６】
そこで、本件発明は、可搬型メディアドライブ装置がＤＶＤディスクなどの可搬型メディアごとに、他の電子機器である表示装置や音声出力装置の設定の内容を記憶できるような構成とした。また他の電子機器となる表示装置や音声出力装置については、利用者が入力した設定値を可搬型メディアドライブ装置に対して渡すような構成とした。
【０００７】
より具体的には、まず第一の発明として、信号を受取ってこれを表示する表示部と、表示部での表示を取得する設定値に応じて制御する表示制御部と、前記制御に利用される設定値を入力設定値として受け付ける入力設定値受付部と、可搬型メディアドライブ装置と通信をするための表示側通信部と、を有する表示装置と、表示装置と通信をするための出力側通信部と、可搬型メディアから信号を取得するドライブ部と、ドライブ部からの信号を出力側通信部を介して表示装置に出力する信号出力部と、ドライブ部で可搬型メディアから取得するメディア識別子と、出力側通信部を介して表示装置から取得する入力設定値とを関連付けてメディア別設定値として保持するメディア別設定値保持部と、信号出力部での信号出力に応じてメディア別設定値保持部からその可搬型メディアのメディア識別子と関連付けられたメディア別設定値を取得し、出力側通信部を介して表示装置に出力するメディア別設定値出力部と、を有する可搬型メディアドライブ装置と、からなる再生システムを提供する。
【０００８】
第二の発明として、可搬型メディアドライブ装置は、メディア別設定値保持部にてメディア識別子と関連付けて保持されているメディア別設定値を変更するための設定値変更部と、設定値変更部での変更値の入力を出力側通信部を介して表示装置に表示するＧＵＩを利用して受け付ける変更値受付部と、をさらに有す第一の発明に記載の再生システムを提供する。
【０００９】
第三の発明として、メディア別設定値保持部は、出力側通信部を介して表示装置から取得する前記入力を受け付けた入力設定値を可搬型メディアから取得したメディア識別子と関連付けて保持する際に、表示装置から併せてその表示装置または表示装置の表示制御部を識別する表示装置識別子を取得して、さらに関連付けて保持する表示装置別保持手段と、  メディア別設定値を異なる表示装置識別子で識別される表示装置または表示装置の表示制御部間で翻訳するための翻訳テーブルを保持する翻訳テーブル保持手段と、を有し、メディア別設定値出力部は、メディア別設定値を出力する際には出力先の表示装置または、その表示装置の表示制御部に応じたメディア別設定値に前記翻訳テーブルを利用して翻訳した結果であるメディア別翻訳済設定値を出力するメディア別翻訳済設定値出力手段を有する第一の発明または第二の発明に記載の再生システムを提供する。
【００１０】
第四の発明として、第一から第三の発明のいずれか一に記載の表示装置を提供する。
【００１１】
第五の発明として、第一から第三の発明のいずれか一に記載の可搬型メディアドライブ装置。を提供する。
【００１２】
第六の発明として、前記表示装置に代えて、信号を受取ってこれを音声出力する音声出力部と、音声出力部での音声出力を取得する設定値に応じて制御する音声出力制御部と、前記制御に利用される設定値を入力設定値として受け付ける入力設定値受付部と、可搬型メディアドライブ装置と通信をするための音声出力側通信部と、を有する音声出力装置とする第一から第四の発明のいずれか一に記載の再生システムを提供する。
【００１３】
第七の発明として、可搬型メディアからＡＶ信号を取得するＡＶ信号取得ステップと、取得したＡＶ信号を再生する再生ステップと、ＡＶ信号の再生中に画像音声制御に利用される入力設定値を受付ける受付ステップと、可搬型メディアのメディア識別子を取得するメディア識別子取得ステップと、メディア識別子取得ステップにて取得したメディア識別子と関連付けて、受付ステップにて受け付けた入力設定値をメディア別設定値として記録する記録ステップと、を有する再生システムの動作方法を提供する。
【００１４】
第八の発明として、可搬型メディアの再生命令を受け付ける再生命令受付ステップと、  再生命令受付ステップでの再生命令の受付に応じて再生命令を受け付けた可搬型メディアのメディア識別子に関連付けて記録ステップにて記録されたメディア別設定値を取得するメディア別設定値取得ステップと、取得されたメディア別設定値を利用して再生ステップにおける再生制御パラメータを設定する設定ステップと、設定ステップでの設定の完了後に可搬型メディアからのＡＶ信号を再生する再生ステップと、をさらに有する第七の発明に記載の再生システムの動作方法を提供する。
【００１５】
第九の発明として、記録ステップは、メディア別設定値を、再生装置の識別子または再生装置の再生示制御部の識別子である再生装置識別子と関連付けて保持する再生装置別記録サブステップをさらに有し、設定ステップは、ＡＶ信号を再生する再生装置識別子に応じて翻訳テーブルを利用して再生装置別記録サブステップにて記録されたメディア別設定値を変換する変換サブステップをさらに有する第七の発明または第八の発明に記載の再生システムの動作方法を提供する。
【発明の効果】
【００１６】
本件発明により、可搬型メディアドライブ装置がＤＶＤディスクなどの可搬型メディアごとに、他の電子機器である表示装置や音声出力装置で行われた設定の内容を記憶でき、再度その可搬型メディアを再生する際に、その設定内容の通り前記表示装置および前記音声出力装置に映像出力および音声出力させることができる再生システムが実現する。前記再生システムを用いることで、利用者は、メディアの交換ごとに映像出力および音声出力の設定を行う手間を省くことができる。
【発明を実施するための最良の形態】
【００１７】
以下に、本発明の実施の形態を説明する。なお、本発明はこれら実施の形態に何ら限定されるものではなく、その要旨を逸脱しない範囲において、種々なる態様で実施しうる。なお、以下の実施形態と請求項の関係は次の通りである。
実施形態１は、主に請求項１、４、５、６および、７、８などについて説明する。
実施形態２は、主に請求項２、４、５、６および、７、８などについて説明する。
実施形態３は、主に請求項３、４、５、６および、９などについて説明する。
<<実施形態１>>
【００１８】
まず最初に実施形態１について説明する。
<実施形態１の概要>
【００１９】
図１は、実施形態１にかかる再生システムの概要を示すものである。実施形態１にかかる再生システムにおいては、まず図１（ａ）に示すように、ＨＤＤ−ＤＶＤレコーダなどからなる可搬型メディアドライブ装置（０１０１）にて可搬型メディアであるディスクＡ（０１０２）を再生している際に、テレビやディスプレイ装置などからなる表示装置（０１０３）やスピーカーなどからなる音声出力装置（０１０７、０１０８）に対し映像出力および音声出力の設定を行った場合、その設定内容（０１０４）とディスクＡ（０１０２）の識別情報とを関連付けて可搬型メディアドライブ装置（０１０１）中のメモリなどの記憶装置（０１０５）に記憶する。そして、再度可搬型メディアであるディスクＡ（０１０２）を前記可搬型メディアドライブ装置（０１０１）にて再生し、前記表示装置（０１０３）および音声出力装置（０１０７、０１０８）に映像および音声の出力をさせる際に、図１（ｂ）に示すように、前記設定内容（０１０６）に従って出力させる。なお、前記記憶装置（０１０５）は表示装置（０１０３）側および音声出力装置（０１０７、０１０８）側に設けられていてもかまわない。
<実施形態１の機能的構成>
【００２０】
図２は、本実施形態における、表示装置と可搬型メディアドライブ装置とからなる再生システムすなわち表示再生システムの機能ブロック図を示すものである。図２に示すように、本実施形態にかかる表示再生システム（０２０１）は、大別すると、表示装置（０２０２）と、可搬型メディアドライブ装置（０２０３）と、からなる。
【００２１】
（表示装置についての説明）表示装置（０２０２）は、表示部（０２０４）と、表示制御部（０２０５）と、入力設定値受付部（０２０６）と、表示側通信部（０２０７）と、を有する。本件発明に係る表示装置は、家庭用のテレビや、パーソナルコンピュータ用のディスプレイ装置などからなる。
【００２２】
（表示部についての説明）表示部（０２０４）は、信号を受け取って、これを表示する。ここで、「信号」とは、ＨＤＤ−ＤＶＤレコーダなどからなる可搬型メディアドライブ装置でＤＶＤディスクなどの可搬型メディアを再生させることで生じる、映像および音声の情報を含む信号などのことである。この信号は、表示側通信部を介して可搬型メディアドライブ装置から伝送される。そして、「表示する」とは、前記映像の情報を含む信号に信号処理を施し、その信号処理が施された前記映像の情報を含む信号に基づいて、表示装置の画面上に前記映像を映し出すことをいう。この表示部（０２０４）とは、具体的には、たとえば、テレビの画像信号入力端子からディスプレイに至る機能部分などを指す。ディスプレイとしては、液晶ディスプレイや、プラズマディスプレイ、有機ＥＬディスプレイ、ＣＲＴディスプレイなどがある。画像信号入力端子に入力される信号としては、ＲＧＢ信号などの画像信号のほか、符号化された状態でいまだに復号化されていない信号などであってもよい。この場合には表示部の機能としては、復号化機能なども含まれる。
【００２３】
（表示制御部についての説明）表示制御部（０２０５）は、表示部での表示を取得する設定値に応じて制御する。ここで、「設定値」とは、前記表示により表示装置のディスプレイなどから出力される画面の明るさや、赤・青・緑各色の光の強度や、アスペクト比などを、利用者が調整できるよう、数値化したものである。また、後述する音声出力装置のスピーカーなどから出力される音の周波数特性などを、利用者が調整できるよう、数値化したものも含まれる（詳細については「音声出力装置についての説明」のところで説明する）。
【００２４】
図３（ａ）は、設定値の一例を示すものである。図３（ａ）において、設定値は、複数の表示設定項目と、それら各表示設定項目に対して一つ一つ設定される各表示設定項目ごとの値と、からなる。表示設定項目とは、図３（ａ）中の「画面コントラスト」（０３０１）など、前記表示により表示装置から出力される画面の性質のうちの一つである。また、表示設定項目ごとの値とは、前記表示により表示装置から出力される画面の性質のうちの一つを、数値化したものである。表示設定項目（０３０３）は複数ある。なお、表示制御部において、この設定値は、後述する入力設定値受付部にて利用者が入力した入力設定値、および、後述するメディア別設定値出力部から出力されたメディア別設定値を取得することで得る。そして、表示制御部は、表示部へと出力される信号に対し、前記各表示設定項目ごとの値に基づいて、前記信号の増幅処理などの信号処理を施すことにより、画面の性質を調整する。このようにして、表示制御部は、表示部での表示を制御する。（なお、図３（ａ）記載の設定値において、表示設定項目（０３０３）および各表示設定項目ごとの値が記載された段より下の段に記載された設定項目（０３０４）および設定項目ごとの値は、後述する音声出力制御部において説明する音声出力設定項目および音声出力設定項目ごとの値である。これらについては後述する。）
【００２５】
ところで、各表示設定項目にはそれぞれ設定項目Ｎｏ．が割り振られている。このように、各設定項目を、各表示設定項目に対し割り振られた設定項目Ｎｏ．を用いて識別することで、表示装置が、どの表示設定項目に対しどれほどの表示設定項目ごとの値が指定されているかを簡単に受け付けることができるからである。
【００２６】
（入力設定値受付部についての説明）入力設定値受付部（０２０６）は、前記制御に利用される設定値を入力設定値として受け付ける。ここで、以下に「入力設定値として受け付ける」とはどのようなことであるか、について説明する。図３（ａ）に示すように、前記設定値にかかる各表示設定項目ごとの値には範囲があり、利用者はその範囲の中で、前記設定値にかかる各表示設定項目ごとのの設定を行うことができる。たとえば、表示装置が図３（ａ）に示すような複数の表示設定項目とそれに対応する各表示設定項目ごとの値の範囲を有し、前記表示装置の利用者が表示設定項目のうちの一つである画面明暗について設定を行う場合、前記利用者は、−１０から＋１０の間で値を設定する。ここで、たとえば、前記利用者がより明るい画面を必要とする場合、画面明暗の項目について＋５以上の値を設定すればよい。また、前記各表示設定項目ごとの値の設定については、表示部に対し出力する信号強度を表示制御部において前記信号のゲイン値に対して何倍にするか、を設定できるような構成をとってもかまわない。このようにして前記各表示設定項目ごとの値は設定される。前記各表示設定項目ごとの値は、たとえば、利用者が表示装置に設けられたコントロールパネル中の、各設定項目ごとに与えられた設定つまみなどを操作することや、表示装置を操作するリモコンに設けられた、設定値設定用のボタンなどを操作することなどにより、入力される。前記各表示設定項目ごとの値の入力により、前記コントロールパネルなどは利用者が入力した設定値についての情報を含む設定値信号を生成する。そして、入力設定値受付部（０２０６）は、前記設定値信号を、入力設定値として演算処理可能な形で表示装置に取り込む。以上が「入力設定値として受け付ける」とはどのようなことであるか、についての一例である。入力設定値の一例を図３（ｂ）に示す。図３（ｂ）に例示するように、設定項目番号と、その設定項目番号に相当する表示設定項目に対し利用者が設定した前記各表示設定項目ごとの値と、を設定項目番号順にＸＭＬ形式で記載したものなどが入力設定値である。この入力設定値は、表示制御部へと伝達され、設定値として表示制御部にて演算処理される。また、この入力設定値は、後述する表示側通信部を介して、可搬型メディアドライブ装置へと伝送される。
【００２７】
（表示側通信部についての説明）表示側通信部（０２０７）は、可搬型メディアドライブ装置と通信をするためのものである。「通信」とは、表示装置（０２０２）と可搬型メディアドライブ装置との間で信号などの送受信を行うことをいう。より具体的には、たとえば、デジタル放送対応のテレビからなる表示装置と、ＨＤＤ−ＤＶＤレコーダからなる可搬型メディアドライブ装置とを，ＨＤＭＩ（登録商標）ケーブルや、ＵＳＢケーブルや、無線通信などにより接続し、前記ケーブルを介して、両者間において前記信号や前記入力設定値などの情報をやり取りすることなどをいう。表示装置からの情報が表示装置外へと伝送される際に、表示側通信部（０２０７）は前記情報の出口としての役割を果たす。また、表示装置外からの情報を表示装置内へと取り込む際に、表示側通信部（０２０７）は前記情報の入口としての役割を果たす。また、表示側通信部は、ＨＤＭＩのＣＥＣ命令体系を利用することができるものであってもよい。
【００２８】
（可搬型メディアドライブ装置についての説明）可搬型メディアドライブ装置（０２０３）は、出力側通信部（０２０８）と、ドライブ部（０２０９）と、信号出力部（０２１０）と、メディア別設定値保持部（０２１１）と、メディア別設定値出力部（０２１２）と、を有する。本件発明に係る表示装置は、ＨＤＤ−ＤＶＤレコーダや、パーソナルコンピュータ本体などからなる。
【００２９】
（出力側通信部についての説明）出力側通信部（０２０８）は、表示装置と通信をするためのものである。「通信」については、再生側通信部にて説明したものと同じであるので説明は省略する。可搬型メディアドライブ装置からの情報が可搬型メディアドライブ装置外へと伝送される際に、出力側通信部（０２０８）は前記情報の出口としての役割を果たす。また、可搬型メディアドライブ装置外からの情報を可搬型メディアドライブ装置内へと取り込む際に、出力側通信部（０２０８）は前記情報の入口としての役割を果たす。したがって、表示装置と可搬型メディアドライブ装置との情報のやり取りは、必ず表示側通信部および出力側通信部を介して行われる。また、出力側通信部は、表示側通信部同様、ＨＤＭＩのＣＥＣ命令体系を利用することができるものであってもよい。
【００３０】
（ドライブ部についての説明）ドライブ部（０２０９）は、可搬型メディアから信号を取得する。「可搬型メディア」とは、持ち運び可能な記憶媒体のことをいい、たとえば、ＤＶＤディスクや、次世代ＤＶＤディスクや、ＣＤディスクや、メモリカードや、本体に対し抜挿可能な可搬型ハードディスクドライブメディアなどがあげられる。また、「信号」については、表示部にて説明したものと同じであるので、説明は省略する。ドライブ部（０２０９）にて取得された信号は、信号出力部へと伝送される。また、「取得」とは、可搬型メディアに記憶された情報を、信号として、演算処理装置にて演算処理可能な形で取り込むことをいう。また、ドライブ部（０２０９）は、可搬型メディアから信号を取得するのと同時に、可搬型メディアからメディア識別子を取得する。このメディア識別子とは、可搬型メディア一つ一つを識別するものであり、いわば可搬型メディア一つ一つに与えられた名前のようなものである。このメディア識別子は、図４（ａ）に示すように、可搬型メディアに情報が記録された年月日（０４０１）が、その可搬型メディアにＸＭＬ形式で記録されたもの（０４０２）などにより構成することが可能である。また、可搬型メディアに記録された情報が映画作品である場合、メディア識別子はその映画作品のタイトル（０４０３）が、その可搬型メディアにＸＭＬ形式で記録されたもの（０４０４）などにより構成することなども可能である。また、たとえば、可搬型メディアの一種であるブルーレイディスク（登録商標）においては「ディスクマネジメントID」が利用される。このディスクマネジメントＩＤとは、ブルーレイディスク（登録商標）1枚1枚に設定されている識別番号である。ブルーレイディスク（登録商標）・カートリッジの背の部分には、このディスクマネジメントＩＤが記入されており、ブルーレイディスク（登録商標）を利用可能な可搬型メディアドライブ装置ではディスクマネジメントIDでブルーレイディスク（登録商標）を区別することも可能である。この場合には、わざわざブルーレイディスク（登録商標）を可搬型メディアドライブ装置に入れなくてもそのブルーレイディスク（登録商標）を識別できる。したがって、可搬型メディアドライブ装置に前記ディスクマネジメントIDを入力する入力デバイスを設け、利用者の操作により前記入力デバイスに入力される前記ディスクマネジメントIDを用いて、可搬型メディアドライブ装置にそのブルーレイディスク（登録商標）を識別させる、という構成をとることも可能である。このほか、可搬型メディアの一部に読み取り専用領域が設けられていてその領域にその可搬型メディアを一意に識別する識別番号が記録されているものもある。これらをメディア識別子として利用することもできる。このメディア識別子は、ドライブ部（０２０９）にて取得されたのちに、メディア別設定値保持部およびメディア別設定値出力部へと伝送される。
【００３１】
なお、このドライブ部（０２０９）は、一つの再生システムに対し二つ以上設けられてもかまわない。たとえば、複数のＣＤ／ＤＶＤドライブから構成することも可能である。あるいは、メモリーカードリーダライタとＣＤ／ＤＶＤドライブとから構成するなど、複数種のもので構成することなども可能である。また、このドライブ部（０２０９）は、必ずしも一の筺体に組み込まれている必要はない。このドライブ部（０２０９）と、可搬型メディアドライブ装置のうち前記ドライブ部（０２０９）以外の構成要件と、を互いに別の筺体により構成することも可能である。この場合、両者のうちいずれか一つをネットワーク上に配置することも可能である。また、前記ネットワークについては、ＬＡＮに限らず、ＷＡＮであってもかまわない。
【００３２】
（信号出力部についての説明）信号出力部（０２１０）は、ドライブ部からの信号を出力側通信部を介して表示装置に出力する。なお、一例として、前記出力は、利用者からの再生命令をトリガとして行われる。ここで、前記再生命令とは、可搬型メディアドライブ装置用のリモコンや可搬型メディアドライブ装置筺体に設けられたＰＬＡＹボタンを押した際に生じるＰＬＡＹ信号などをいう。なお、信号出力部（０２１０）は、前記信号を、表示装置へ出力するだけでなく、さらに、後述するメディア別設定値出力部（０２１２）においてメディア別設定値を表示装置へと出力するタイミングを司る信号すなわちトリガ信号を、メディア別設定値出力部（０２１２）に出力する（この点については後述する「メディア別設定値出力部についての説明」のところで説明する。）。
【００３３】
（メディア別設定値保持部についての説明）メディア別設定値保持部（０２１１）は、ドライブ部で可搬型メディアから取得するメディア識別子と、出力側通信部を介して表示装置から取得する入力設定値とを関連付けてメディア別設定値として保持する。図４（ｂ）にメディア別設定値の一例を示す。図４（ｂ）に例示するように、メディア別設定値は、図４（ａ）に例示するメディア識別子と、図３（ｂ）に例示する入力設定値とを１セットにし、ＸＭＬ形式のデータにしたものなどである。そして、「関連付ける」とは、前記１セットにすることなどをいう。そして、「保持する」とは、可搬型メディアドライブ装置の記憶装置などに、図４（ｂ）に例示するようなメディア別設定値を、メディア識別子ごとに複数記憶することなどを意味する。このメディア別設定値は、信号出力部での信号出力に応じて、メディア別設定値出力部へと伝送される。
【００３４】
（メディア別設定値出力部についての説明）メディア別設定値出力部（０２１２）は、信号出力部での信号出力に応じてメディア別設定値保持部からその可搬型メディアのメディア識別子と関連付けられたメディア別設定値を取得し、出力側通信部を介して表示装置に出力する。「信号出力部での信号出力に応じて」とは、信号出力部からの前記トリガ信号をメディア別設定値出力部（０２１２）が受け付けてからすぐに、ということである。なお、前記トリガ信号については、前記信号や、前記再生命令などを用いることができる。また、「取得」とは、可搬型メディアのメディア識別子と、メディア別設定値保持部にて保持されている複数のメディア別設定値のうち、信号出力に係る可搬型メディアが持つメディア識別子と同じメディア識別子を持つメディア別設定値を探し出し、メディア別設定値保持部から取り出すことをいう。そして、表示装置に出力されたメディア別設定値は、表示制御部へと伝送され、設定値として表示制御部にて演算処理される。
【００３５】
以上が本実施形態における、表示再生システムの機能的構成についての説明である。次に、本実施形態における、音声出力装置と可搬型メディアドライブ装置とからなる再生システム、すなわち音声再生システムの機能的構成について説明する。本実施形態における、音声再生システムの機能的構成は、表示再生システムの機能的構成とほぼ同様の構成をとる。図５は、本実施形態における、音声再生システムの機能ブロック図を示すものである。図５に示すように、本実施形態にかかる音声再生システム（０５０１）は、大別すると、音声出力装置（０５０２）と、可搬型メディアドライブ装置（０５０３）と、からなる。
【００３６】
（音声出力装置についての説明）音声出力装置（０５０２）は、音声出力部（０５０４）と、音声出力制御部（０５０５）と、入力設定値受付部（０５０６）と、音声出力側通信部（０５０７）と、を有する。本件発明に係る音声出力装置は、家庭用のテレビなどの表示装置に内蔵され、音響用アンプとスピーカーなどにより構成される音響装置などからなる。
【００３７】
（音声出力部についての説明）音声出力部（０５０４）は、信号を受け取って、これを音声出力する。「信号」については前述した通りなので説明は省略する。この信号は、音声出力側通信部を介して可搬型メディアドライブ装置から伝送される。そして、「音声出力する」とは、前記音声の情報を含む信号に信号処理を施し、その信号処理が施された前記音声の情報を含む信号に基づいて、スピーカーから音声を流すことをいう。この音声出力部（０５０４）とは、具体的には、テレビの音声信号入力端子からスピーカーやヘッドホンなどに至る機能部分を指す。音声信号入力端子に入力される信号としては、ハイファイステレオ音声信号や、モノラル音声信号や、マルチＣＨサラウンドステレオ信号などがあげられる。
【００３８】
（音声出力制御部についての説明）音声出力制御部（０５０５）は、音声出力部での音声出力を取得する設定値に応じて制御する。「設定値」については、前述した通りなので説明は省略する。図３（ａ）において、設定値は、複数の音声出力設定項目と、それら各音声出力設定項目に対して一つ一つ設定される各音声出力設定項目ごとの値と、からなる。音声出力設定項目とは、図３（ａ）中の音声出力イコライザ３２Ｈｚ」（０３０２）など、前記音声出力により音声出力装置から出力される音声の性質のうちの一つである。また、音声出力設定項目ごとの値とは、前記音声出力により音声出力装置から出力される音声の性質のうちの一つを、数値化したものである。音声出力設定項目（０３０４）は複数ある。なお、音声出力制御部において、この設定値は、後述する入力設定値受付部にて利用者が入力した入力設定値、および、後述するメディア別設定値出力部から出力されたメディア別設定値を取得することで得る。そして、音声出力制御部は、音声出力部へと出力される信号に対し、前記各音声出力設定項目ごとの値に基づいて、前記信号の増幅処理などの信号処理を施すことにより、音声の性質を調整する。このようにして、音声出力制御部は、音声出力部での音声出力を制御する。
【００３９】
（入力設定値受付部についての説明）入力設定値受付部（０５０６）は、前記制御に利用される設定値を入力設定値として受け付ける。ここで、本実施形態にかかる音声出力装置の入力設定値受付部における処理の様子の一例を以下に示す。基本的には、前述の表示装置の入力設定値受付部が行う処理とほぼ同様である。図３（ａ）に示すように、前記設定値にかかる各音声出力設定項目ごとの値には範囲があり、利用者はその範囲の中で、前記設定値にかかる各音声出力設定項目ごとのの設定を行うことができる。たとえば、音声出力装置が図３（ａ）に示すような複数の音声出力設定項目とそれに対応する各音声出力設定項目ごとの値の範囲を有し、前記音声出力装置の利用者が音声出力設定項目のうちの一つである音声出力イコライザ３２Ｈｚについて設定を行う場合、前記利用者は、−１２ｄＢから＋１２ｄＢの間で値を設定する。ここで、たとえば、前記利用者が３２Ｈｚの音声をより強く出力したい場合、音声出力イコライザ３２Ｈｚの項目について＋６以上の値を設定すればよい。また、前記各音声出力設定項目ごとの値の設定については、音声出力部に対し出力する信号強度を音声出力制御部において前記信号のゲイン値に対して何倍にするか、を設定できるような構成をとってもかまわない。このようにして前記各音声出力設定項目ごとの値は設定される。前記各音声出力設定項目ごとの値は、前述した表示設定項目ごとの値と同様の操作により入力される。前記各表示設定項目ごとの値の入力により、前記コントロールパネルなどは利用者が入力した設定値についての情報を含む設定値信号を生成する。そして、入力設定値受付部（０５０６）は、前記設定値信号を、入力設定値として演算処理可能な形で音声出力装置に取り込む。以上が「入力設定値として受け付ける」とはどのようなことであるか、についての一例である。入力設定値の一例を図３（ｂ）に示す。図３（ｂ）に例示するように、設定項目番号と、その設定項目番号に相当する音声出力設定項目に対し利用者が設定した前記各音声出力設定項目ごとの値と、を設定項目番号順に記載したものなどが入力設定値である。この入力設定値は、音声出力制御部へと伝達され、設定値として音声出力制御部にて演算処理される。また、この入力設定値は、後述する音声出力側通信部を介して、可搬型メディアドライブ装置へと伝送される。
【００４０】
なお、音声出力側通信部（０５０７）は、前記表示側通信部と同様の機能を果たす。また、音声再生システムにかかる可搬型メディアドライブ装置（０５０３）は、表示再生システムにかかる可搬型メディアドライブ装置とほぼ同様である。なお、ここでは、表示装置に代えて音声出力装置が、音声出力側通信部（０５０７）を介して、可搬型メディアドライブ装置（０５０３）に対し、入力設定値を出力する。また、可搬型メディアドライブ装置（０５０３）は、表示装置に代えて音声出力装置に対し、信号およびメディア別設定値を出力する。また、本実施形態にかかる音声出力装置（０５０２）は、前述の表示装置および可搬型メディアドライブ装置と一緒に再生システムを構成することも可能である。
【００４１】
ちなみに、本実施形態にかかる再生システムにおいては、可搬型メディアドライブ装置と、表示装置および音声出力装置とをケーブルによって直接的につなぐことだけでなく、ネットワークを介してつなぐことで構成するも可能である。また、可搬型メディアドライブ装置と、表示装置および音声出力装置と、は必ずしも１：１の関係でつながれている必要はない。一台の可搬型メディアドライブ装置と、複数の表示装置および音声出力装置と、がつながれていてもよい。また逆に、複数の可搬型メディアドライブ装置と、一台の表示装置もしくは音声出力装置と、がつながれていてもよい。またさらに、複数の可搬型メディアドライブ装置と、複数の表示装置および音声出力装置と、がつながれていてもよい。
<実施形態１のハードウエア的構成>
【００４２】
図６に、本実施形態に係る表示装置のハードウエア構成の例を示す。図６はＣＰＵ（０６０１）とＥＥＰＲＯＭ（０６０２）、メインメモリ（０６０３）、Ｉ／Ｏ（０６０４）、入力デバイス（０６０５）、ディスプレイ装置（０６０６）などからなる表示装置に、どのように発明を実現するためのデータが格納されているかを示すものである。この図にあるように、メインメモリのワーク領域には表示プログラム（０６０７）、表示制御プログラム（０６０８）、入力設定値受付プログラム（０６０９）、が展開される。
【００４３】
ＣＰＵ（０６０１）は、表示プログラム（０６０７）に従って、Ｉ／Ｏ（０６０４）を介して可搬型メディアドライブ装置（０６１０）から信号（０６１１）を取得し、取得した信号を演算処理した後にディスプレイ装置（０６０６）へと表示する。すなわち、ＣＰＵ（０６０１）は表示プログラム（０６０７）に従って、前述した表示部にて行われる処理と同様の処理を行う。ＣＰＵ（０６０１）は、入力設定値受付プログラム（０６０９）に従って、入力デバイス（０６０５）より入力された設定値信号（０６１２）を基に、入力設定値（０６１３）を生成し、メインメモリ（０６０３）のデータ領域に格納する。すなわち、ＣＰＵ（０６０１）は、入力設定値受付プログラム（０６０９）に従って、前述した入力設定値受付部にて行われる処理と同様の処理を行う。この入力設定値（０６１３）は、Ｉ／Ｏ（０６０４）を介して可搬型メディアドライブ装置（０６１０）に取得される。ＣＰＵ（０６０１）は、表示制御プログラム（０６０８）に従って、入力設定値（０６１３）、あるいは、Ｉ／Ｏ（０６０４）を介して可搬型メディアドライブ装置（０６１０）から取得したメディア別設定値（０６１４）を基に、前記信号のディスプレイ装置（０６０６）への表示を制御する。すなわち、ＣＰＵ（０６０１）は、表示制御プログラム（０６０８）に従って、前述した表示制御部にて行われる処理と同様の処理を行う。
【００４４】
図７に、本実施形態に係る音声出力装置のハードウエア構成の例を示す。本実施形態に係る音声出力装置のハードウエア構成は、基本的には、本実施形態に係る表示装置のハードウエア構成とほぼ同様である。ただし、本実施形態に係る音声出力装置は、ディスプレイに代わり音声出力デバイス（０７０１）を有する点について、本実施形態に係る表示装置と異なる。また、表示プログラムおよび表示制御プログラムに代わり、音声出力プログラム（０７０２）および音声出力制御プログラム（０７０３）がメインメモリ（０７０４）のワーク領域に展開される点においても、本実施形態に係る表示装置と異なる。
【００４５】
ＣＰＵ（０７１０）は、音声出力プログラム（０７０２）に従って、Ｉ／Ｏ（０７０５）を介して可搬型メディアドライブ装置（０７０６）から信号（０７０７）を取得し、取得した信号を演算処理した後に音声出力デバイス（０７０１）へと音声出力する。すなわち、ＣＰＵ（０７１０）は、音声出力プログラム（０７０２）に従い、前述した音声出力部にて行われる処理と同様の処理を行う。ＣＰＵ（０７１０）は、音声出力制御プログラム（０７０３）に従い、入力設定値（０７０８）、あるいは、Ｉ／Ｏ（０７０５）を介して可搬型メディアドライブ装置（０７０６）から取得したメディア別設定値（０７０９）を基に、前記信号の音声出力デバイス（０７０１）への音声出力を制御する。すなわち、ＣＰＵ（０７１０）は、音声出力制御プログラム（０７０３）に従って、前述した音声出力制御部にて行われる処理と同様の処理を行う。
【００４６】
図８に、本実施形態に係る可搬型メディアドライブ装置のハードウエア構成の例を示す。図８はＣＰＵ（０８０１）とＨＤＤ（ハードディスクドライブ）（０８０２）、メインメモリ（０８０３）、Ｉ／Ｏ（０８０４）、入力デバイス（０８０５）、ＣＤ／ＤＶＤドライブ（０８０６）などからなる可搬型メディアドライブ装置に、どのように発明を実現するためのデータが格納されているかを示すものである。この図にあるように、メインメモリのワーク領域には信号取得プログラム（０８０７）、信号出力プログラム（０８０８）、メディア別設定値保持プログラム（０８０９）、メディア別設定値出力プログラム（０８１０）、が展開される。
【００４７】
ＣＰＵ（０８０１）は、信号取得プログラム（０８０７）に従ってＣＤ／ＤＶＤドライブ（０８０６）を介して可搬型メディアから信号およびメディア識別子を取得し、取得した前記信号および前記メディア識別子をメインメモリ（０８０３）のデータ領域に格納し（０８１１、０８１２）、その後にＨＤＤ（ハードディスクドライブ）（０８０２）にも保存する。すなわち、ＣＰＵ（０８０１）は、信号取得プログラム（０８０７）に従って、前述した信号取得部にて行われる処理と同様の処理を行う。前記メディア識別子はＣＰＵ（０８０１）は、信号出力プログラム（０８０８）に従って、入力デバイス（０８０５）が受け付けた再生命令（０８１３）をメインメモリ（０８０３）のデータ領域に格納し、前記再生命令をもとに、Ｉ／Ｏ（０８０４）を介して表示装置（０８１４）および音声出力装置（０８１７）へと信号（０８１１）を出力する。すなわち、ＣＰＵ（０８０１）は、信号出力プログラム（０８０８）に従って、前述した信号出力部にて行われる処理と同様の処理を行う。ＣＰＵ（０８０１）は、メディア別設定値保持プログラム（０８０９）に従って、入力設定値（０８１５）をＩ／Ｏ（０８０４）を介して表示装置（０８１４）および音声出力装置（０８１７）から取得する。そして、前記入力設定値（０８１５）とメディア識別子（０８１２）とを、演算処理による関連付けにより、メディア別設定値（０８１６）としてメインメモリ（０８０３）のデータ領域に格納し、その後にＨＤＤ（ハードディスクドライブ）（０８０２）にも保存する。すなわち、ＣＰＵ（０８０１）は、メディア別設定値保持プログラム（０８０９）に従って、前述したメディア別設定値保持部にて行われる処理と同様の処理を行う。ＣＰＵ（０８０１）は、メディア別設定値出力プログラム（０８１０）に従って、メインメモリ（０８０３）のデータ領域に格納された再生命令に基づいて、ＣＤ／ＤＶＤドライブ（０８０６）を介して可搬型メディアからメディア識別子を取得する。そして、前記メディア識別子を基に、メディア別設定値（０８１６）をＩ／Ｏ（０８０４）を介して表示装置（０８１４）および音声出力装置（０８１７）へと出力する。すなわち、ＣＰＵ（０８０１）は、メディア別設定値出力プログラム（０８１０）に従って、前述したメディア別設定値出力部にて行われる処理と同様の処理を行う。
<実施形態１の処理の流れ>
【００４８】
本実施形態にかかる再生システムの動作方法は、ＡＶ信号取得ステップと、再生ステップと、受付ステップと、メディア識別子取得ステップと、記録ステップと、再生命令受付ステップと、メディア別設定値取得ステップと、設定ステップとからなる。
【００４９】
図９に、本実施形態にかかる再生システムの動作方法における処理の流れの一例を示す。まず、再生命令受付ステップにて、可搬型メディアの再生命令を受け付ける（Ｓ０９０１）。次に、メディア識別子取得ステップにて、可搬型メディアからのメディア識別子を取得する（Ｓ０９０２）。次に、前記可搬型メディアがこの再生システムにおいて初めて再生されるものであるか否か、すなわち再生履歴を識別する（Ｓ０９０３）。ここでは、先ず前記メディア識別子取得ステップにて取得したメディア識別子すなわち取得メディア識別子と、前記メディア別設定値保持部が保持するメディア別設定値のメディア識別子すなわち保持メディア識別子と、を比較する。ここで、前記取得メディア識別子と同一の保持メディア識別子を持つメディア別設定値がなかった場合、前記可搬型メディアはこの再生システムにおいて初めて再生されるものである、ということを識別する。この場合、次に、ＡＶ信号取得ステップにおいて、可搬型メディアからのＡＶ信号を取得する（Ｓ０９０４）。このＡＶ信号とは、前述の信号のことをいう。そして次に、再生ステップが前記ＡＶ信号を再生する（Ｓ０９０５）。ここで、再生、とは、前述した表示および音声出力のことである。次に、受付ステップが入力設定値を受け付ける（Ｓ０９０６）。ここで再生システムは、前記入力設定値に応じて再生ステップにおける再生制御パラメータを設定する。この再生制御パラメータとは、前述の設定値のことをいう。次に、記録ステップが、メディア識別子と入力設定値とを関連付けて、メディア別設定値として保持する（Ｓ０９０７）。
【００５０】
前記再生履歴を識別する（Ｓ０９０３）処理において、前記取得メディア識別子と同一の保持メディア識別子を持つメディア別設定値があった場合、前記可搬型メディアはこの再生システムにおいて初めて再生されるものではない、ということを識別する。この場合、次に、メディア別設定値取得ステップにて、前記再生命令に応じてメディア別設定値を取得する（Ｓ０９０８）。次に、設定ステップにて、前記メディア別設定値に応じて再生ステップにおける再生制御パラメータを設定する（Ｓ０９０９）。次に、ＡＶ信号取得ステップにおいて、可搬型メディアからのＡＶ信号を取得する（Ｓ０９１０）。次に、再生ステップが前記ＡＶ信号を再生する（Ｓ０９１１）。
【００５１】
なお、再生システムは、前記記録ステップ（Ｓ０９０７）における処理を、可搬型メディアドライブ装置のみならず表示装置および音声出力装置において行うことも可能である。すなわち、再生システムは、メディア別設定値を、表示装置および音声出力装置の側に保持することも可能である。また、メディア別設定値を、表示装置および音声出力装置と、可搬型メディアドライブ装置と、の双方に保持することも可能である。また、再生システムが表示装置と、音声出力装置と、の双方を有する場合、メディア別設定値を、両者のうちいずれか一つに保持することも可能である。以上が、本実施形態にかかる再生システムの動作方法における処理の流れの一例である。
<実施形態１の効果>
【００５２】
本実施形態により、可搬型メディアドライブ装置がＤＶＤディスクなどの可搬型メディアごとに、他の電子機器である表示装置や音声出力装置で行われた設定の内容を記憶でき、再度その可搬型メディアを再生する際に、その設定内容の通り前記表示装置および前記音声出力装置に映像出力および音声出力させることができる再生システムが実現する。前記再生システムを用いることで、利用者は、メディアの交換ごとに映像出力および音声出力の設定を行う手間を省くことができる。
<<実施形態２>>
<実施形態２の概要>
【００５３】
図１０は、実施形態２にかかる再生システムの概要を示すものである。実施形態２にかかる再生システムは、実施形態１にかかる再生システムと基本的には同じである。ただし、実施形態２にかかる再生システムはさらに、いったん設定された設定値を、変更値（１００１）を入力することで変更することができる（１００２）。またさらに、前記設定値および変更値の入力を、表示装置（１００３）の画面上に映し出されるＧＵＩ（１００４）を用いて行うことができる。
<実施形態２の機能的構成>
【００５４】
図１１は、本実施形態における、表示再生システムの機能ブロック図を示すものである。本実施形態にかかる機能ブロックは、基本的には、実施形態１にかかる機能ブロックと同じである。ただし、本実施形態にかかる可搬型メディアドライブ装置（１１０１）はさらに、変更値受付部（１１０２）と、設定値変更部（１１０３）と、を有する。またさらに、表示部（１１０４）は、ＧＵＩ機能（１１０６）を有する。
【００５５】
（変更値受付部についての説明）変更値受付部（１１０２）は、設定値変更部（１１０３）での変更値の入力を出力側通信部（１１０７）を介して表示装置（１１０８）に表示するＧＵＩを利用して受け付ける。ここで、「変更」とは、メディア別設定値を書き換えることをいう（詳細については、後述する設定値変更部にて説明する）。そして、「変更値」とは、前記書き換えに用いられる値のことである。この変更値は、たとえば図１２（ａ）に示すように、各設定項目ごとに関連付けられ、ＸＭＬ形式のデータとして受け付けられるなどして、保持される。
【００５６】
以下に、変更値受付部が変更値を受け付ける様子の一例を示す。変更値の入力は、表示装置操作用リモコンを利用者が操作することなどにより行われる。この際、前記利用者は、表示装置の画面上に映し出されるＧＵＩを見ながら、前記操作を行う。次に、前記変更値の入力を入力設定値受付部が変更値信号として受け付ける。前記変更値信号は、入力設定値受付部から表示側通信部および出力側通信部を介して、変更値受付部に変更値として受け付けられる。以上が、変更値受付部が変更値を受け付ける様子の一例である。このようにして受け付けられた変更値は、後述する設定値受付部にてメディア別設定値を変更する際に用いられる。なお、前記受け付けは、各設定項目ごとの値ごとに行われるのが好ましい。このような構成にすることによって、利用者は、任意の設定項目ごとの値を一つずつ変更することができるからである。
【００５７】
前記ＧＵＩが表示される際、変更値受付部（１１０２）はＧＵＩ機能（１１０６）に対し、ＧＵＩ表示命令などを出力する。ＧＵＩ機能（１１０６）は前記ＧＵＩ表示命令などを受け付け、表示装置にＧＵＩを表示する。これが、表示装置にＧＵＩが表示される様子の一例である。さらに、表示装置は、前記ＧＵＩの表示と連動可能なタッチパネルを有することも可能である。この場合、利用者は、前記タッチパネルを操作することにより、入力設定値および変更値の入力が可能となる。
【００５８】
（設定値変更部についての説明）設定値変更部（１１０３）は、メディア別設定値保持部（１１０９）にてメディア識別子と関連付けて保持されているメディア別設定値を変更するためのものである。
【００５９】
図１２（ｂ）は、メディア別設定値を変更する様子の一例である。メディア別設定値の変更は、変更前のメディア別設定値（１２０１）を、変更値（１２０３）を用いて書き換える（１２０２）ことで行うことができる。ここで、前記書き換えは、各設定項目ごとの値ごとに行われるのが好ましい。また、前記書き換えは、図１２（ｂ）に例示するように、変更値をメディア別設定値に対し上書きすることで行うことができる。また、（図示はしないが）メディア別設定値に対し変更値を足し引きすることで行うことなども可能である。
【００６０】
なお、本実施形態の再生装置は、ドライブ部において可搬型メディアが再生されていないときも変更を行えるよう構成することも可能である。この場合、以下の一例のような処理により前記変更は可能となる。まず、ＧＵＩ機能はメディア別設定値保持部に保持されているすべてのメディア別設定値のメディア別識別子をＧＵＩに表示する。次に、利用者は、ＧＵＩに表示された複数のメディア識別子から、変更に係る可搬型メディアのメディア識別子を選択する。そして、利用者は変更値の入力を行う。前記変更値を変更値受付部が受け取る。そして、設定値変更部は前記変更値に基づいて、前記変更に係る可搬型メディアのメディア別設定値を変更する。これら一連の処理などにより、ドライブ部において可搬型メディアが再生されていないときも変更を行うことが可能である。
【００６１】
また、前述のような構成をとることにより、さらに、ドライブ部において可搬型メディアが再生されている最中でも、前記再生にかかる可搬型メディア以外の可搬型メディアについて、そのメディア別設定値を変更することも可能となる。その際の処理も、前述と同様の処理などにより行うことが可能である。
【００６２】
図１３は、本実施形態における、音声再生システムの機能ブロック図を示すものである。本実施形態における、音声再生システムの機能ブロックは、基本的には、実施形態１における音声再生システムの機能ブロックと同じである。ただし、本実施形態にかかる音声再生システムの可搬型メディアドライブ装置（１３０１）はさらに、本実施形態にかかる表示再生システムの可搬型メディアドライブ装置同様、変更値受付部（１３０２）と、設定値変更部（１３０３）と、を有する。また、本実施形態における音声再生システムの変更値受付部（１３０２）および設定値変更部（１３０３）は、本実施形態にかかる表示再生システムの変更値受付部（１１０２）および設定値変更部（１１０３）と同様の機能を果たす。また、本実施形態における音声再生システムの変更値受付部（１３０２）は変更値を、本実施形態にかかる表示再生システムの変更値同様、出力側通信部（１３０５）を介して表示装置（１３０４）に表示するＧＵＩを利用して受け付ける。
<実施形態２のハードウエア的構成>
【００６３】
図１４に、本実施形態に係る表示装置のハードウエア構成の例を示す。本実施形態にかかる表示装置のハードウエア的構成は、基本的には、実施形態１に係る表示装置のハードウエア構成と同じである。ただし、図１４に示すように、本実施形態に係る表示装置はさらに、入力デバイス（１４０１）が変更値信号を受け付け、Ｉ／Ｏ（１４０２）を介して可搬型メディアドライブ装置（１４０３）へと出力する。またさらに、ディスプレイ装置（１４０４）は、可搬型メディアドライブ装置（１４０３）から出力されたＧＵＩ表示信号（１４０５）をＩ／Ｏ（１４０２）を介して取得し、ＧＵＩを表示する。
【００６４】
本実施形態に係る音声出力装置のハードウエア構成は、実施形態１に係る音声出力装置のハードウエア構成とほぼ同様である。
【００６５】
図１５に、本実施形態に係る可搬型メディアドライブ装置のハードウエア構成の例を示す。本実施形態にかかる可搬型メディアドライブ装置のハードウエア的構成は、基本的には、実施形態１に係る可搬型メディアドライブ装置のハードウエア構成と同じである。ただし、図１５に示すように、本実施形態に係る可搬型メディアドライブ装置はさらに、ＧＵＩ表示プログラム（１５０１）、変更値受付プログラム（１５０２）、設定値変更プログラム（１５０３）を有し、これらをメインメモリ（１５０４）のワーク領域に展開する。
【００６６】
ＣＰＵ（１５１９）は、ＧＵＩ表示プログラム（１５０１）に従って、ＧＵＩ表示信号（１５０５）をＩ／Ｏ（１５０６）を介して表示装置（１５０７）へと出力する。ＣＰＵ（１５１９）は、変更値受付プログラム（１５０２）に従って、変更値信号（１５０８）を受け付け、演算処理可能な変更値データ（１５０９）として、メインメモリ（１５０４）のデータ領域に格納する。すなわち、ＣＰＵ（１５１９）は、変更値受付プログラム（１５０２）に従って、前述した変更値受付部にて行われる処理と同様の処理を行う。ＣＰＵ（１５１９）は、メディア別設定値保持プログラム（１５１２）に従って、入力設定値（１５１３）をＩ／Ｏ（１５０６）を介して表示装置（１５０７）から取得する。次に、ＣＰＵ（１５１９）は、メディア別設定値保持プログラム（１５１２）に従って、前記入力設定値（１５１３）とメディア識別子（１５１４）とを、演算処理により関連付けする。そしてＣＰＵ（１５１９）は、メディア別設定値保持プログラム（１５１２）に従って、変更前メディア別設定値（１５１０）としてメインメモリ（１５０４）のデータ領域に格納し、その後に、ＨＤＤ（ハードディスクドライブ）（１５２０）にも保存する。ＣＰＵ（１５１９）は、設定値変更プログラム（１５０３）に従って、前記変更値データ（１５０９）を基に、変更前メディア別設定値（１５１０）の変更を行う。そしてＣＰＵ（１５１９）は、設定値変更プログラム（１５０３）に従って、変更後メディア別設定値（１５１１）としてメインメモリ（１５０４）のデータ領域に格納、その後に、ＨＤＤ（ハードディスクドライブ）（１５２０）に変更前メディア別設定値として保存する。すなわち、ＣＰＵ（１５１９）は、設定値変更プログラム（１５０３）に従って、前述した設定値変更部にて行われる処理と同様の処理を行う。ＣＰＵ（１５１９）は、メディア別設定値出力プログラム（１５１５）に従って、メインメモリ（１５０４）のデータ領域に格納された再生命令に基づいて、ＣＤ／ＤＶＤドライブ（１５１６）を介して可搬型メディアからメディア識別子を取得する。そして、ＣＰＵ（１５１９）は、メディア別設定値出力プログラム（１５１５）に従って、前記メディア識別子を基に、変更前メディア別設定値（１５１０）もしくは変更後メディア別設定値（１５１１）を、メディア別設定値（１５１７）としてＩ／Ｏ（１５０６）を介して表示装置（１５０７）および音声出力装置（１５１８）へと出力する。
<実施形態２の処理の流れ>
【００６７】
図１６に、本実施形態にかかる再生システムの動作方法における処理の流れの一例を示す。本実施形態にかかる再生システムの動作方法は、基本的には実施形態１にかかる再生システムの動作方法と同じである。ただし、本実施形態にかかる再生システムは、変更値を受け付けた場合、可搬型メディアが初めて再生されるものであると識別した後の記録ステップの後に、再度記録ステップを繰り返す（Ｓ１６０１）。また、可搬型メディアが初めて再生されるものでないと識別した後の再生ステップの後に、記録ステップにかかる処理を行う（Ｓ１６０１）。
<実施形態２の効果>
【００６８】
本実施形態により利用者が、一つの可搬型メディアに対して任意に設定値を設定でき、かつ、前記設定をテレビやディスプレイ装置などの表示画面上に映し出されるＧＵＩを用いて行うことができる再生システムが実現する。
<<実施形態３>>
<実施形態３の概要>
【００６９】
実施形態３にかかる再生システムは、実施形態２にかかる再生システムと基本的には同じである。ただし、本実施形態にかかる再生システムは、図１７および以下に説明する点において、実施形態２にかかる再生システムと異なる。図１７は、実施形態３にかかる再生システムの概要を示すものである。たとえば、最初利用者は、Ａｄｅｎｋｉ社製の可搬型メディアドライブ装置すなわちドライブ装置Ａ（１７０１）に、Ａｄｅｎｋｉ社製の表示装置および音声出力装置すなわち表示・音声出力装置Ａ（１７０２）を接続して利用していたとする。そして、可搬型メディアであるディスクＡ（１７０３）についてのメディア別設定値すなわちメディア別設定値Ａを、前記ドライブ装置Ａに保持させていたとする（１７０４）。あるときからその利用者は、前記ドライブ装置ＡにさらにＢ−ｌａｂ社製の表示装置および音声出力装置すなわち表示・音声出力装置Ｂ（１７０５）を接続して利用しだしたとする。この時点で、前記ドライブ装置Ａに保持されている前記メディア別設定値Ａは、前記表示・音声出力装置Ａに対してのみ利用可能なものである。また、表示・音声出力装置Ａと、表示・音声出力装置Ｂとでは、互いの設定値にかかる設定項目および設定項目ごとの値の範囲すなわち設定内容が異なるものとする。ここで、実施形態３にかかるメディア別設定値保持部は、表示・音声出力装置Ａの設定内容から、表示・音声出力装置Ｂなどの設定内容へと翻訳するテーブル（１７０６）を有する。前記テーブルを用いて、前記メディア別設定値Ａを表示・音声出力装置Ｂに対し利用可能なメディア別設定値へと翻訳することで、表示・音声出力装置Ｂの表示制御および音声出力制御を行うことができる（１７０７）。
<実施形態３の機能的構成>
【００７０】
図１８は、本実施形態における、表示再生システムの機能ブロック図を示すものである。本実施形態にかかる機能ブロックは、基本的には、実施形態２にかかる表示再生システムの機能ブロックと同じである。ただし、本実施形態にかかる表示再生システムのメディア別設定値保持部（１８０１）はさらに、表示装置別保持手段（１８０２）と、翻訳テーブル保持手段（１８０３）と、を有する。またさらに、本実施形態にかかる表示再生システムのメディア別設定値出力部（１８０４）は、メディア別翻訳済設定値出力手段（１８０５）を有する。
【００７１】
（表示装置別保持手段についての説明）表示装置別保持手段（１８０２）は、出力側通信部を介して表示装置から取得する前記入力を受け付けた入力設定値を可搬型メディアから取得したメディア識別子と関連付けて保持する際に、表示装置から併せてその表示装置または表示装置の表示制御部を識別する表示装置識別子を取得して、さらに関連付けて保持する。表示装置識別子とは、表示装置をその表示装置の製造メーカー名ごと、あるいは、機種ごとに区別するものである。ここで、表示装置識別子の一例を図１９（ａ）に示す。この表示装置識別子は、図１９（ａ）に示すように、表示装置の製造メーカー名（１９０１）などが、その表示装置の記憶装置などにＸＭＬ型データとして書き込まれたもの（１９０２）などにより構成することが可能である。また、その表示装置の機種名が、その表示装置の記憶装置などにＸＭＬ型データとして書き込まれたものなどにより構成することなども可能である。また、図１９（ｂ）は、表示装置別保持手段（１８０２）が保持するメディア別設定値の一例を示すものである。図１９（ｂ）に例示するように、表示装置別保持手段（１８０２）が保持するメディア別設定値は、表示装置識別子（１９０３）と、メディア識別子（１９０４）と、入力設定値（１９０５）と、を１セットにしたものなどである。表示装置別保持手段（１８０２）は、前述のメディア別設定値を、メディア識別子ごとに複数保持する。
【００７２】
（翻訳テーブル保持手段についての説明）翻訳テーブル保持手段（１８０３）は、メディア別設定値を異なる表示装置識別子で識別される表示装置または表示装置の表示制御部間で翻訳するための翻訳テーブルを保持する。「メディア別設定値を異なる表示装置識別子で識別される表示装置または表示装置の表示制御部間で翻訳する」とは、ある表示装置識別子で識別される表示装置に対し利用可能なメディア別設定値を、それとは別の表示装置識別子で識別される表示装置に対し利用可能にするように変換することをいう。ここで、翻訳テーブルの一例を、図２０（ａ）に示す。図２０（ａ）に示す翻訳テーブルは、Ａｄｅｎｋｉ社製の可搬型メディアドライブ装置すなわちドライブ装置Ａが有する翻訳テーブルであるとする。図２０（ａ）に例示する翻訳テーブルの左から一列目には、Ａｄｅｎｋｉ社製の表示装置すなわち表示装置Ａの設定値にかかる各表示設定項目、および、前記各表示設定項目ごとの値の範囲が縦に並べられている。たとえば、その一行目のセル（２００１）には、表示装置Ａの表示設定項目の一つである「画面明暗」（２００２）、および、その表示設定項目ごとの値の範囲である「Ｒａｎｇｅ  −１０〜＋１０」（２００３）という記載がなされている。その右隣のセル（２００４）には、Ｂ−ｌａｂ社製の表示装置すなわち表示装置Ｂの表示設定項目の一つである「Ｂｒｉｇｈｔ」（２００５）と、その表示設定項目ごとの値の範囲である「Ｒａｎｇｅ  −２０〜＋２０」（２００６）と、前記「画面明暗」の表示設定項目ごと値から「Ｂｒｉｇｈｔ」の表示設定項目ごと値への変換式「＝画面明暗×２」（２００７）と、が記載されている。また、さらにその右隣に続くセルには、他社製の表示装置における、「画面明暗」や「Ｂｒｉｇｈｔ」と同じ性質の表示設定項目と、その表示設定項目ごとの値の範囲と、その表示設定項目ごとの値を前記「画面明暗」の表示設定項目ごとの値をもとに算出するための変換式と、がそれぞれ記載されている。このように、図２０（ａ）に例示する翻訳テーブルの各行には、各社製の表示装置ごとに、互いに同じ性質もしくは似た性質の設定項目と、その設定項目ごとの値の範囲と、各設定項目ごとの変換式と、がそれぞれ記載されている。以上が翻訳テーブルの一例である。そして、「保持する」とは、可搬型メディアドライブ装置の記憶装置などに、図２０（ａ）に例示するような翻訳テーブルを、演算処理可能な形で記憶していることなどを意味する。
【００７３】
なお、この翻訳テーブルについては、その内容を追記できるような構成をとることも可能である。たとえば、ある利用者が前記表示装置Ａと、前記ドライブ装置Ａからなる再生システムを利用していたとする。ここで、今まで表示装置を製造したことのないメーカーＸが、初めて表示装置を製造し、販売しだしたとする。そして、前記利用者は、前記表示装置Ａと、前記メーカーＸ製の表示装置すなわち表示装置Ｘとを交換して前記再生システムを利用し始めたとする。この時点における、前記ドライブ装置Ａが有する翻訳テーブルでは、前記表示装置Ａに対し利用可能なメディア別設定値を、前記表示装置Ｘに対し利用可能なメディア別設定値へと変換させることはできない。ここで、前記変換が可能になるよう翻訳テーブルの内容を追記できるような構成をとることで、前述したような問題は解決できる。以下に、その構成の一例を示す。まず、前記表示装置Ａに対し利用可能なメディア別設定値を、前記表示装置Ｘに対し利用可能なメディア別設定値へと変換するテーブルすなわちＡ−Ｘ変換テーブルを準備する。このＡ−Ｘ変換テーブルは、Ａｄｅｎｋｉ社が、表示装置Ｘが発売されたのに応じて作成したものである。このＡ−Ｘ変換テーブルは、可搬型メディアに記録されるなどして頒布される。利用者は、前記可搬型メディアを前記ドライブ装置Ａに読み取らせる。前記読み取りにより、前記ドライブ装置ＡはＡ−Ｘ変換テーブルを取得し、翻訳テーブルに追記する。なお、このＡ−Ｘ変換テーブルは、インターネット回線を通じて前記ドライブ装置Ａに自動的にダウンロードされるものなどであってもよい。以上が、翻訳テーブルの内容を追記できるような構成の一例である。
【００７４】
（メディア別翻訳済設定値出力手段）メディア別翻訳済設定値出力手段（１８０５）は、メディア別設定値を出力する際には出力先の表示装置または、その表示装置の表示制御部に応じたメディア別設定値に前記翻訳テーブルを利用して翻訳した結果であるメディア別翻訳済設定値を出力する。図２０（ｂ）は、メディア別翻訳済設定値出力手段における翻訳の様子の一例を示すものである。図２０（ｂ）に示す例において、利用者はドライブ装置Ａに表示装置Ｂを接続して利用しているものとする。また、前記ドライブ装置Ａは、ある可搬型メディアＡについて、表示装置Ａについてのメディア別設定値すなわちメディア別設定値Ａ（２００８）を有しているものとする。まず、ドライブ装置Ａにて可搬型メディアＡが再生されようとする。ここで、メディア別翻訳済設定値出力手段（１８０５）は、信号出力部での信号出力に応じて表示装置別保持手段からメディア別設定値Ａを取得する。次に、表示装置Ｂから表示装置識別子を取得する。この表示装置Ｂから取得した表示装置識別子すなわち表示装置識別子Ｂをもとに、ドライブ装置Ａは、自身に接続されている表示装置がＢ−ｌａｂ社製のものであることを識別する。次に、翻訳テーブル中の、表示装置Ａの各表示設定項目ごと値から表示装置Ｂの各表示設定項目ごとの値へと変換するための各変換式を、翻訳式として特定する。そして、前記翻訳式を用いて、メディア別設定値Ａの各表示設定項目ごとの値を変換する。このように変換処理を施されたものが、メディア別翻訳済設定値（２００９）である。以上がメディア別翻訳済設定値出力手段における翻訳の様子の一例である。そして、メディア別翻訳済設定値出力手段（１８０５）は、このメディア別翻訳済設定値（２００９）を、出力側通信部を介して表示装置へと出力する。
【００７５】
図２１は、本実施形態における、音声再生システムの機能ブロック図を示すものである。本実施形態における、音声出力装置（２１０１）の機能ブロックは、基本的には、実施形態２における、音声出力装置の機能ブロックと同じである。また、本実施形態の音声再生システムにかかる可搬型メディアドライブ装置（２１０３）の機能ブロックは、基本的には、本実施形態の表示再生システムにかかる可搬型メディアドライブ装置の機能ブロックと同じである。ただし、本実施形態の音声再生システムにかかるメディア別設定値保持部（２１０６）は、表示装置別保持手段に代わり音声出力装置別保持手段（２１０７）を有する。
【００７６】
（音声出力装置別保持手段についての説明）音声出力装置別保持手段（２１０７）は、出力側通信部を介して音声出力装置もしくは音声出力装置から取得する前記入力を受け付けた入力設定値を可搬型メディアから取得したメディア識別子と関連付けて保持する際に、音声出力装置から併せてその音声出力装置または音声出力装置の音声出力制御部を識別する音声出力装置識別子を取得して、さらに関連付けて保持する。この音声出力装置別保持手段（２１０７）は、前述した表示装置別保持手段とほぼ同じような機能を果たすものである。なお、音声出力表示装置識別子とは、前述した表示装置識別子と同様に、音声出力装置をその音声出力装置の製造メーカー名ごと、あるいは、機種ごとに区別するものである。また、音声出力装置別保持手段（２１０７）が保持するメディア別設定値も、図１９（ｂ）に示すメディア別設定値同様、音声出力装置識別子と、メディア識別子と、入力設定値と、を１セットにしたものなどである。
【００７７】
（翻訳テーブル保持手段についての説明）本実施形態における、音声再生システムにかかる翻訳テーブル保持手段（２１０８）は、メディア別設定値を異なる音声出力装置識別子で識別される音声出力装置または音声出力装置の音声出力制御部間で翻訳するための翻訳テーブルを保持する。この翻訳テーブル保持手段（２１０８）は、基本的には、本実施形態における表示再生システムの翻訳テーブル保持手段と同様の機能を果たす。前記翻訳テーブルとは、図２０（ａ）に示す翻訳テーブルと同じように、音声出力装置の製造メーカー名ごとに、互いに同じ性質もしくは似た性質の音声出力設定項目と、その音声出力設定項目ごとの値の範囲と、各設定項目ごとの変換式と、がそれぞれ各行に記載されたものである。
【００７８】
（メディア別翻訳済設定値出力手段についての説明）本実施形態における、音声再生システムにかかるメディア別翻訳済設定値出力手段（２１０４）は、メディア別設定値を出力する際には出力先の音声出力装置または、その音声出力装置の音声出力制御部に応じたメディア別設定値に前記翻訳テーブルを利用して翻訳した結果であるメディア別翻訳済設定値を出力する。このメディア別翻訳済設定値出力手段（２１０４）は、基本的には、本実施形態における表示再生システムのメディア別翻訳済設定値出力手段とほぼ同様の機能を果たす。
<実施形態３のハードウエア的構成>
【００７９】
図２２に、本実施形態に係る表示装置のハードウエア構成の例を示す。本実施形態にかかる表示装置のハードウエア的構成は、基本的には、実施形態２に係る表示装置のハードウエア構成と同じである。ただし、図２２に示すように、本実施形態に係る表示装置のＥＥＰＲＯＭ（２２０１）にはさらに表示装置識別子（２２０２）が格納されている。そして、前記表示装置識別子（２２０２）は、Ｉ／Ｏ（２２０３）を介して可搬型メディアドライブ装置（２２０４）へと出力される。
【００８０】
図２３に、本実施形態に係る音声出力装置のハードウエア構成の例を示す。本実施形態に係る音声出力装置のハードウエア構成は、実施形態１および２に係る音声出力装置のハードウエア構成とほぼ同様である。ただし、ただし、図２３に示すように、本実施形態に係る音声出力装置のＥＥＰＲＯＭ（２３０１）にはさらに音声出力装置識別子（２３０２）が格納されている。そして、前記音声出力装置識別子（２３０２）は、Ｉ／Ｏ（２３０３）を介して可搬型メディアドライブ装置（２３０４）へと出力される。
【００８１】
図２４に、本実施形態に係る可搬型メディアドライブ装置のハードウエア構成の例を示す。本実施形態にかかる可搬型メディアドライブ装置のハードウエア的構成は、基本的には、実施形態２に係る可搬型メディアドライブ装置のハードウエア構成と同じである。ただし、図２４に示すように、本実施形態に係る可搬型メディアドライブ装置は、メディア別設定値保持プログラムに代えて、装置別保持プログラム（２４０１）を有し、これらをメインメモリ（２４０２）のワーク領域に展開する。また、メディア別設定値出力プログラムに代えて、翻訳済設定値出力プログラム（２４０３）を有し、これをメインメモリ（２４０２）のワーク領域に展開する。また、翻訳テーブル（２４０５）を有し、これをＨＤＤ（ハードディスクドライブ）（２４０４）に保存している。なお、この翻訳テーブル（２４０５）は、ＣＰＵ（２４１７）が翻訳済設定値出力プログラム（２４０３）に従って処理を行う際に、メインメモリ（２４０２）のデータ領域に格納される。
【００８２】
ＣＰＵ（２４１７）は、装置別保持プログラム（２４０１）に従って、入力設定値（２４０７）および表示装置識別子（２４０８）および音声出力装置識別子（２４０６）をＩ／Ｏ（２４０９）を介して表示装置（２４１０）および音声出力装置（２４１２）から取得する。そして、前記入力設定値（２４０７）とメディア識別子（２４１１）と表示装置識別子（２４０８）と音声出力装置識別子（２４０６）とを、演算処理による関連付けにより、メディア別設定値（２４１３）としてメインメモリ（２４０２）のデータ領域に格納する。すなわち、ＣＰＵ（２４１７）は、装置別保持プログラム（２４０１）に従って、前述した表示装置別保持手段および音声出力装置別保持手段にて行われる処理と同様の処理を行う。ＣＰＵ（２４１７）は、翻訳済設定値出力プログラム（２４０３）に従って、メインメモリ（２４０２）のデータ領域に格納された再生命令（２４１４）に基づいて、ＣＤ／ＤＶＤドライブ（２４１５）を介して可搬型メディアからメディア識別子を取得する。そして、前記メディア識別子および翻訳テーブル（２４０５）に基づき、メディア別設定値（２４１３）をメディア別翻訳済設定値（２４１６）へと翻訳し、Ｉ／Ｏ（２４０９）を介して表示装置（２４１０）および音声出力装置（２４１２）へと出力する。すなわち、ＣＰＵ（２４１７）は、翻訳済設定値出力プログラム（２４０３）に従って、前述したメディア別翻訳済設定値出力手段にて行われる処理と同様の処理を行う。
<実施形態３の処理の流れ>
【００８３】
図２５に、本実施形態にかかる再生システムの動作方法における処理の流れの一例を示す。本実施形態にかかる再生システムの動作方法は、基本的には実施形態２にかかる再生システムの動作方法と同じである。ただし、本実施形態にかかる再生システムの動作方法はさらに、再生装置識別子取得ステップを有する。また、本実施形態にかかる再生システムの動作方法にかかる記録ステップは、再生装置別記録サブステップをさらに有する。また、本実施形態にかかる再生システムの動作方法にかかる設定ステップは、変換サブステップをさらに有する。
【００８４】
再生装置識別子取得ステップは、メディア識別子取得ステップにおける処理の直後に、再生システムが再生装置から再生装置識別子を取得する（Ｓ２５０３）ためのステップである。ここで、再生装置とは、表示装置および音声出力装置のことである。また、再生装置識別子とは、前述した表示装置識別子および音声出力装置識別子のことである。
【００８５】
再生装置別記録サブステップは、再生システムがメディア識別子と入力設定値と再生装置識別子とを関連付けて、メディア別設定値として記録する（Ｓ２５０１）ためのステップである。
【００８６】
また、本実施形態にかかる再生システムは、メディア別設定値取得ステップにおける処理の直後に、メディア別設定値を翻訳する必要があるか否かの識別、すなわち翻訳要否判断を行う。ここでは、取得したメディア別設定値に関連付けられている再生装置識別子すなわち関連再生装置識別子と、再生装置識別子取得ステップにて取得した再生装置識別子すなわち取得再生装置識別子と、を比較する。ここで、両者が同一でないことを識別したとする。この場合、次に、変換サブステップにて、再生装置識別子に応じて翻訳テーブルを利用してメディア別設定値を変換する（Ｓ２５０２）。変換とは、前述したメディア別翻訳済設定値出力手段における翻訳のことである。そして、次に、前述した設定ステップにおける処理を行う。
【００８７】
逆に、前記翻訳要否判断において、関連再生装置識別子と、取得再生装置識別子と、が同一であることを識別したとする。この場合、次に、前述した設定ステップにおける処理を行う。
<実施形態３の効果>
【００８８】
本実施形態により、可搬型メディアドライブ装置に接続して用いていた表示装置および音声出力装置を取り外し、その可搬型メディアドライブ装置に前記表示装置および音声出力装置とは異なる機種あるいは異なるメーカー製の表示装置および音声出力装置を新たに接続した場合でも、前記取り外した表示装置および音声出力装置に用いていたメディア別設定値を用いて、新たに接続された表示装置の表示制御および音声出力装置の音声出力制御を行うことができる再生システムが実現する。
【図面の簡単な説明】
【００８９】
【図１】実施形態１にかかる再生システムの概要を示す図
【図２】実施形態１における、表示装置と可搬型メディアドライブ装置とからなる再生システムの機能ブロック図
【図３】設定値の一例、および、入力設定値の一例を示す図
【図４】メディア識別子の一例、および、メディア別設定値の一例を示す図
【図５】実施形態１における、音声出力装置と可搬型メディアドライブ装置とからなる再生システムの機能ブロック図
【図６】実施形態１に係る表示装置のハードウエア構成の例を示す図
【図７】実施形態１に係る音声出力装置のハードウエア構成の例を示す図
【図８】実施形態１に係る可搬型メディアドライブ装置のハードウエア構成の例を示す図
【図９】実施形態１にかかる再生システムの動作方法における処理の流れの一例を示す図
【図１０】実施形態２にかかる再生システムの概要を示す図
【図１１】実施形態２における、表示装置と可搬型メディアドライブ装置とからなる再生システムの機能ブロック図
【図１２】変更値に関するデータの一例、および、メディア別設定値の変更の様子の一例を示す図
【図１３】実施形態２における、音声出力装置と可搬型メディアドライブ装置とからなる再生システムの機能ブロック図
【図１４】実施形態２に係る表示装置のハードウエア構成の例を示す図
【図１５】実施形態２に係る可搬型メディアドライブ装置のハードウエア構成の例を示す図
【図１６】実施形態２にかかる再生システムの動作方法における処理の流れの一例を示す図
【図１７】実施形態３にかかる再生システムの概要を示す図
【図１８】実施形態３における、表示装置と可搬型メディアドライブ装置とからなる再生システムの機能ブロック図
【図１９】表示装置識別子の一例、および、表示装置別保持手段が保持するメディア別設定値の一例を示す図
【図２０】翻訳テーブルの一例、および、翻訳の様子の一例を示す図
【図２１】実施形態３における、音声出力装置と可搬型メディアドライブ装置とからなる再生システムの機能ブロック図
【図２２】実施形態３に係る表示装置のハードウエア構成の例を示す図
【図２３】実施形態３に係る音声出力装置のハードウエア構成の例を示す図
【図２４】実施形態３に係る可搬型メディアドライブ装置のハードウエア構成の例を示す図
【図２５】実施形態３にかかる再生システムの動作方法における処理の流れの一例を示す図
【符号の説明】
【００９０】
０１０１  可搬型メディアドライブ装置
０１０２  可搬型メディアであるディスクＡ
０１０３  表示装置
０１０４  映像出力および音声出力の設定内容
０１０５  記憶装置
０１０６  映像出力および音声出力の設定内容
０１０７  音声出力装置
０１０８  音声出力装置
【図１】
2009253870.tif 000003
【図２】
2009253870.tif 000004
【図３】
2009253870.tif 000005
【図４】
2009253870.tif 000006
【図５】
2009253870.tif 000007
【図６】
2009253870.tif 000008
【図７】
2009253870.tif 000009
【図８】
2009253870.tif 000010
【図９】
2009253870.tif 000011
【図１０】
2009253870.tif 000012
【図１１】
2009253870.tif 000013
【図１２】
2009253870.tif 000014
【図１３】
2009253870.tif 000015
【図１４】
2009253870.tif 000016
【図１５】
2009253870.tif 000017
【図１６】
2009253870.tif 000018
【図１７】
2009253870.tif 000019
【図１８】
2009253870.tif 000020
【図１９】
2009253870.tif 000021
【図２０】
2009253870.tif 000022
【図２１】
2009253870.tif 000023
【図２２】
2009253870.tif 000024
【図２３】
2009253870.tif 000025
【図２４】
2009253870.tif 000026
【図２５】
2009253870.tif 000027